(57)【要約】【課題】  複数のリレースイッチをオンオフ制御してメイン電源回路をオンオフ制御する電源制御装置において、回路規模を小さくする。【解決手段】  電源制御装置１は、一端がトランジスタＱ１のコレクタに接続されたコイル２ａと、コイル２ａに電流が流れるか否かに応じてオン状態およびオフ状態が制御され、オン状態の場合に交流電源電圧をメイン電源回路に供給し、オフ状態の場合に交流電源電圧をメイン電源回路に供給しないリレースイッチ２ｂと、一端がトランジスタＱ１のコレクタに接続されたコイル３ａと、リレースイッチ２ｂに並列接続され、コイル３ａに電流が流れるか否かに応じてオン状態およびオフ状態が制御されるリレースイッチ３ｂと、コイル２ａ、３ａに待機電源電圧に基づく電流を流すか否かを切り換えるトランジスタＱ１とを備える。【選択図】図１
2011222235.tif 000002
【特許請求の範囲】
【請求項１】
一端がトランジスタの第１電極に接続されることにより、前記トランジスタがオン状態の場合に待機電源電圧に基づく電流が流れ、前記トランジスタがオフ状態の場合に待機電源電圧に基づく電流が流れない第１コイルと、
前記第１コイルに電流が流れるか否かに応じてオン状態およびオフ状態が制御され、オン状態の場合に交流電源電圧をメイン電源回路に供給し、オフ状態の場合に交流電源電圧を前記メイン電源回路に供給しない第１リレースイッチと、
一端が前記トランジスタの第１電極に接続されることにより、前記トランジスタがオン状態の場合に待機電源電圧に基づく電流が流れ、前記トランジスタがオフ状態の場合に待機電源電圧に基づく電流が流れない第２コイルと、
前記第１リレースイッチに並列接続され、前記第２コイルに電流が流れるか否かに応じてオン状態およびオフ状態が制御され、オン状態の場合に交流電源電圧を前記メイン電源回路に供給し、オフ状態の場合に交流電源電圧を前記メイン電源回路に供給しない第２リレースイッチと、
前記第１コイルおよび前記第２コイルに待機電源電圧に基づく電流を流すか否かを切り換える前記トランジスタとを備える、電源制御装置。
【請求項２】
前記第１コイルの一端と前記トランジスタの第１電極との接続点にカソードが接続され、前記第２コイルの一端にアノードが接続されているダイオードをさらに備える、請求項１に記載の電源制御装置。
【発明の詳細な説明】
【技術分野】
【０００１】
本発明は、メイン電源回路をオン状態およびオフ状態に制御する電源制御装置に関する。
【背景技術】
【０００２】
従来、ＡＶアンプ等の電子機器においては、メイン電源回路をオンオフ制御するための２つのリレースイッチを備えた電源制御装置が使用されている。図３は、この電源制御装置１１を示す回路図である。電源制御装置１１は、リレースイッチ２ｂ、３ｂをオン状態およびオフ状態に制御するトランジスタＱ２、Ｑ１が設けられている。トランジスタＱ２がオフ状態の場合、コイル２ａに電流が流れずに、リレースイッチ２ｂがオフ状態になる。トランジスタＱ２がオン状態の場合、コイル２ａに電流が流れ、リレースイッチ２ｂがオン状態になる。トランジスタＱ１がオフ状態の場合、コイル３ａに電流が流れずに、リレースイッチ３ｂがオフ状態になる。トランジスタＱ１がオン状態の場合、コイル３ａに電流が流れ、リレースイッチ３ｂがオン状態になる。リレースイッチ２ｂまたは３ｂがオン状態の場合、メイン電源回路５は、商用交流電源電圧が供給されるので、オン状態になり、メイン電源電圧を出力する。リレースイッチ２ｂおよび３ｂがオフ状態の場合、メイン電源回路５は、商用交流電源電圧が供給されないので、オフ状態になり、メイン電源電圧を出力しない。この電源制御装置２１によると、リレースイッチ２ｂ、３ｂをオン状態およびオフ状態に制御するトランジスタＱ２、Ｑ１がリレースイッチ毎に設けられているので、回路規模が大きくなるとともに、回路の配線が複雑になるという問題がある。
【先行技術文献】
【特許文献】
【０００３】
【特許文献１】特開平６−１３９８６６号公報
【発明の概要】
【発明が解決しようとする課題】
【０００４】
本発明は上記従来の課題を解決するためになされたものであり、その目的は、複数のリレースイッチをオンオフ制御してメイン電源回路をオンオフ制御する電源制御装置において、回路規模を小さくすることができる電源制御装置を提供することである。
【課題を解決するための手段】
【０００５】
本発明の好ましい実施形態による電源制御装置は、一端がトランジスタの第１電極に接続されることにより、前記トランジスタがオン状態の場合に待機電源電圧に基づく電流が流れ、前記トランジスタがオフ状態の場合に待機電源電圧に基づく電流が流れない第１コイルと、前記第１コイルに電流が流れるか否かに応じてオン状態およびオフ状態が制御され、オン状態の場合に交流電源電圧をメイン電源回路に供給し、オフ状態の場合に交流電源電圧を前記メイン電源回路に供給しない第１リレースイッチと、一端が前記トランジスタの第１電極に接続されることにより、前記トランジスタがオン状態の場合に待機電源電圧に基づく電流が流れ、前記トランジスタがオフ状態の場合に待機電源電圧に基づく電流が流れない第２コイルと、前記第１リレースイッチに並列接続され、前記第２コイルに電流が流れるか否かに応じてオン状態およびオフ状態が制御され、オン状態の場合に交流電源電圧を前記メイン電源回路に供給し、オフ状態の場合に交流電源電圧を前記メイン電源回路に供給しない第２リレースイッチと、前記第１コイルおよび前記第２コイルに待機電源電圧に基づく電流を流すか否かを切り換える前記トランジスタとを備える。
【０００６】
本実施形態によると、１つのトランジスタによって第１リレースイッチおよび第２リレースイッチをオンオフ制御することができる。従って、回路規模を小さくすることができる。
【０００７】
好ましい実施形態においては、前記第１コイルの一端と前記トランジスタの第１電極との接続点にカソードが接続され、前記第２コイルの一端にアノードが接続されているダイオードをさらに備える。
【発明の効果】
【０００８】
複数のリレースイッチをオンオフ制御してメイン電源回路をオンオフ制御する電源制御装置において、回路規模を小さくすることができる電源制御装置を提供することができる。
【図面の簡単な説明】
【０００９】
【図１】本発明の好ましい実施形態による電源制御装置を示す回路図である。
【図２】本発明の好ましい実施形態による電源制御装置を示す回路図である。
【図３】従来の電源制御装置を示す回路図である。
【発明を実施するための形態】
【００１０】
以下、本発明の好ましい実施形態について、図面を参照して具体的に説明するが、本発明はこれらの実施形態には限定されない。図１は、本発明の好ましい実施形態による電源制御装置１を示す概略回路図である。電源制御装置１は、待機電源回路４からの待機電源電圧が供給されており、メイン電源回路５のオン状態およびオフ状態を制御する。メイン電源回路５は、電源制御装置１が適用される電子機器の各回路（例えば、ＡＶアンプの場合、アンプ回路等）にメイン電源電圧を供給する回路である。待機電源回路４は、電源制御装置１が適用される電子機器がスタンバイ状態のときに、図示しないマイコンおよびその周辺回路に待機電源電圧を供給する回路である。電源制御装置１は、リレー回路２、３と、ダイオードＤ１〜Ｄ４と、コンデンサＣ１、Ｃ２と、トランジスタＱ１とを備える。
【００１１】
リレー回路２は、メイン電源回路５に商用交流電源電圧を供給するか否かを切り換える回路である。リレー回路２は、コイル２ａとリレースイッチ２ｂとを有する。コイル２ａは、一端がダイオードＤ２のアノードとコンデンサＣ１とダイオードＤ４のカソードとトランジスタＱ１のコレクタとの接続点に接続され、他端がダイオードＤ１、Ｄ２の各カソードとコンデンサＣ１との接続点に接続されている。リレースイッチ２ｂは、コイル２ａに電流が流れることによりオン状態になり、コイル２ｂに電流が流れないことによりオフ状態になる素子である。リレースイッチ２ｂは、一端に商用交流電源電圧が供給され、他端がメイン電源回路５に接続されている。
【００１２】
リレー回路３は、メイン電源回路５に商用交流電源電圧を供給するか否かを切り換える回路である。リレー回路３は、コイル３ａとリレースイッチ３ｂとを有する。コイル３ａは、一端がダイオードＤ３のアノードとコンデンサＣ２とダイオードＤ４のアノードとの接続点に接続され、他端がダイオードＤ３のカソードとコンデンサＣ２との接続点に接続されている。リレースイッチ３ｂは、コイル３ａに電流が流れることによりオン状態になり、コイル３ｂに電流が流れないことによりオフ状態になる素子である。リレースイッチ３ｂは、一端に商用交流電源電圧が供給され、他端がメイン電源回路５に接続されている。リレースイッチ２ｂと３ｂとは並列接続されている。
【００１３】
トランジスタＱ１は、コイル２ａ、２ｂに待機電源電圧に基づく電流を流すか否か、つまり、リレースイッチ２ｂ、３ｂのオン状態およびオフ状態を制御する素子である。トランジスタＱ１は、ベースが図示しないマイコンのリレー制御用のポートに接続され、エミッタが接地電位に接続され、コレクタがダイオードＤ４のカソード（つまり、コイル３ａの一端）と、コイル２ａの一端とに接続されている。
【００１４】
電源制御装置１は、トランジスタＱ１にリレースイッチ２ａ、２ｂの両方をオンオフ制御させることによって、トランジスタの数を削減し、配線を簡単化することができる。
【００１５】
次に、電源制御装置１の動作を説明する。
ユーザ操作によって電子機器をスタンバイ状態にする指示が入力された場合、トランジスタＱ１のベースにはマイコンからローレベルの信号が供給される。従って、トランジスタＱ１はオフ状態になる。トランジスタＱ１がオフ状態になると、待機電源回路４からの待機電源電圧によってコイル２ａ、３ａに電流が流れないので、リレースイッチ２ｂ、３ｂは共にオフ状態になる。従って、メイン電源回路５は、商用交流電源電圧が供給されなくなり、オフ状態となり、メイン電源電圧を電子機器の各回路に出力しない。
【００１６】
一方、ユーザ操作によって電子機器を電源オン状態にする指示が入力された場合、トランジスタＱ１のベースにはマイコンからハイレベルの信号が供給される。従って、トランジスタＱ１はオン状態になる。トランジスタＱ１がオン状態になると、待機電源回路４からの待機電源電圧によって、待機電源回路４からダイオードＤ１、コイル２ａを介してトランジスタＱ１のコレクタへと電流が流れる。従って、コイル２ａに電流が流れることによって、リレースイッチ２ｂがオン状態になる。同様に、トランジスタＱ１がオン状態になると、待機電源回路４からの待機電源電圧によって、待機電源回路４からコイル３ａ、ダイオードＤ４を介してトランジスタＱ１のコレクタへと電流が流れる。従って、コイル３ａに電流が流れることによって、リレースイッチ３ｂがオン状態になる。その結果、メイン電源回路５は、商用交流電源電圧が供給されるようになり、オン状態となり、メイン電源電圧を電子機器の各回路に出力する。
【００１７】
次に、ダイオードＤ４の機能について説明する。ダイオードＤ４を設けない場合、図２の波線で示すように、トランジスタＱ１がオン状態のときに、コイル２ａから流れてくる電流の一部がダイオードＤ３のアノード、コンデンサＣ２およびコイル３ａ側へと流れ、トランジスタＱ１のコレクタに流れる電流が減少してしまい、トランジスタＱ１がオフ状態になってしまう場合がある。トランジスタＱ１は、オフ状態になった後、ベースにハイレベルの信号が供給され続けているので、再度オン状態になる。このように、トランジスタＱ１がオン状態とオフ状態とを繰り返してしまい、リレースイッチ２ｂ、３ｂがオン状態とオフ状態とを繰り返してしまう。その結果、メイン電源回路５がオン状態とオフ状態とを繰り返してしまい、安定してメイン電源電圧を各回路に出力できないという問題がある。
【００１８】
しかし、図１に示すように本実施形態ではダイオードＤ４が設けられているので、コイル２ａから流れてくる電流はダイオードＤ３のアノード、コンデンサＣ２およびコイル３ａ側へとは流れず、全てがトランジスタＱ１のコレクタへと流れる。従って、トランジスタＱ１を継続的にオン状態にすることができ、リレースイッチ２ａ、３ａを継続的にオン状態にすることができる。その結果、メイン電源回路５を継続的にオン状態にすることができ、安定してメイン電源電圧を各回路に出力することができる。
【００１９】
以上、本発明の好ましい実施形態を説明したが、本発明はこれらの実施形態には限定されない。例えば、リレースイッチはコイルに電流が流れないときにオン状態となり、コイルに電流が流れるときにオフ状態となるものでもよい。この場合、トランジスタＱ１のオンとオフが反対となる。
【産業上の利用可能性】
【００２０】
本発明は、アンプ、ＡＶアンプ等の電子機器に好適に採用され得る。
【符号の説明】
【００２１】
１              電源制御装置
２              リレー回路
３              リレー回路
４              待機電源回路
５              メイン電源回路
【図１】
2011222235.tif 000003
【図２】
2011222235.tif 000004
【図３】
2011222235.tif 000005